(57)【特許請求の範囲】
【請求項１】
商用電源に接続される負荷を、それぞれスイッチボックスに収納され、前記負荷に直列に接続される２以上のスイッチ素子によってオンオフを行う複数箇所に設置されたスイッチの制御方法であって、
前記各スイッチ素子は、前記それぞれのスイッチボックスに設けられた手動スイッチ及びセンサー動作スイッチのいずれか１又は２を有するスイッチ手段によって直接オンオフし、
直接オンオフされない残りの前記各スイッチ素子については、前記各スイッチ素子に並列に接続され、かつ前記負荷の動作電流以下の小電流を流す高インピーダンス素子の両端の電圧を検知し、該高インピーダンス素子の両端の電圧が、予め設定された範囲の低電圧Ａから、予め設定された範囲で前記低電圧Ａより高い高電圧Ｂに移行することを検知して自動的にオンすることを特徴とする複数箇所に設置されたスイッチの制御方法。
【請求項２】
請求項１記載の複数箇所に設置されたスイッチの制御方法において、前記各スイッチ素子のオンオフ制御を行うのに使用する電源は、前記各スイッチ素子の両端を通じて、前記負荷と同一の商用電源から供給されていることを特徴とする複数箇所に設置されたスイッチの制御方法。
【請求項３】
請求項１及び２のいずれか１項に記載の複数箇所に設置されたスイッチの制御方法において、前記各高インピーダンス素子は、負荷のインピーダンスの３０〜５００倍のインピーダンスを有する実質同一値の抵抗であって、前記スイッチ素子の数をｎ（但し、ｎは２又は３）、電源電圧をＤボルトとした場合、前記低電圧Ａの範囲は、Ｄ／ｎの０．８〜１．１５倍の範囲であって、前記高電圧Ｂの範囲は、Ｄ／（ｎ−１）の０．８５倍以上であることを特徴とする複数箇所に設置されたスイッチの制御方法。
【請求項４】
請求項１〜３のいずれか１項に記載の複数箇所に設置されたスイッチの制御方法に用いるスイッチ装置であって、
前記スイッチ素子である双方向サイリスタと、該双方向サイリスタに整流回路を介して接続される前記高インピーダンス素子である高抵抗と、前記双方向サイリスタをオンオフする前記スイッチ手段と、前記高抵抗の両端に発生する電圧を検知して、該高抵抗の両端の電圧が、予め設定された範囲の前記低電圧Ａから、予め設定された範囲で前記低電圧Ａより高い前記高電圧Ｂに移行することを検知して自動的に前記双方向サイリスタをオンする制御部と、これらを収納する前記スイッチボックスとを有することを特徴とするスイッチ装置。
【発明の詳細な説明】
【技術分野】
【０００１】
本発明は、商用電源に接続されている負荷（例えば、照明器具、ファン、ヒータ等）を別位置に配置された複数のスイッチでオンオフする方法及びそのスイッチ装置に関する。
【背景技術】
【０００２】
階段の照明器具を、階段の上側及び下側に設けられたスイッチによってオンオフする回路として、図６に示すものが知られている。この回路８０においては、それぞれ開接点と閉接点を有するスイッチ８１、８２を用い、スイッチ８１、８２の接点同士を２本の電線８３、８４で接続したもので、何れのスイッチ８１、８２を操作しても、照明器具８５を交互にオンオフできるものであった。なお、８６は商用電源を示す。
【０００３】
また、特許文献１には２か所で同一負荷を操作でき、しかもそれぞれの場所で負荷の通電状態を知ることができる電子スイッチが提案されている。
そして、特許文献２には、負荷のオンオフを行うスイッチに半導体スイッチ素子を用い、この半導体スイッチ素子がオフの場合は当然として、オンの場合であっても、その両端から制御用の電力が取れるように工夫し、負荷に直列に接続されたスイッチから電源を得て、半導体スイッチ素子の制御を行う方法が提案されている。
【０００４】
【特許文献１】特開平１１−１６４３８号公報
【特許文献２】特開２００４−５６９０４号公報
【発明の開示】
【発明が解決しようとする課題】
【０００５】
しかしながら、図６に示す回路８０においては、直列に接続されたスイッチ８１、８２に対しては２本の電線８３、８４を使用し、結果として配線を３線式とする必要があって配線が複雑になり、更に、スイッチ８１、８２自体からは電源が取れないので、例えば、特許文献２に記載されているようにスイッチ自体を非接触スイッチやリモコンスイッチに置き換えることはできないという問題があった。
また、特許文献１に記載されている技術においても、２か所で使用される機器が３線式となって、配線が複雑となる。更には、３か所以上のスイッチがある場合には適用が困難である。
【０００６】
本発明はかかる事情に鑑みてなされたもので、２線式の配線で済み、しかもスイッチが２か所以上であっても、適用可能な複数箇所に設置されたスイッチの制御方法及びそのスイッチ装置を提供することを目的とする。
【課題を解決するための手段】
【０００７】
前記目的に沿う第１の発明に係る複数箇所に設置されたスイッチの制御方法は、商用電源に接続される負荷を、それぞれスイッチボックスに収納され、前記負荷に直列に接続される２以上のスイッチ素子によってオンオフを行う複数箇所に設置されたスイッチの制御方法であって、
前記各スイッチ素子は、前記それぞれのスイッチボックスに設けられた手動スイッチ及びセンサー動作スイッチのいずれか１又は２を有するスイッチ手段によって直接オンオフし、
直接オンオフされない残りの前記各スイッチ素子については、前記各スイッチ素子に並列に接続され、かつ前記負荷の動作電流以下の小電流を流す高インピーダンス素子の両端の電圧を検知し、該高インピーダンス素子の両端の電圧が、予め設定された範囲の低電圧Ａから、予め設定された範囲で前記低電圧Ａより高い高電圧Ｂに移行することを検知して自動的にオンする。
【０００８】
ここで、高インピーダンス素子とは抵抗、コンデンサ、コイル又はこれらの組合せであって、負荷に直列に接続された場合、負荷を実質的に作動させない程度のインピーダンス（最低）を有し、更に、他のスイッチ素子を安定して作動状態に保つ程度のインピーダンス（最大）以下のものをいう。
第１の発明（以下の第２〜第４の発明においても同じ）においては、直列に接続されたスイッチ素子の各々で高インピーダンス素子の両端の電圧を測定することによって、他のスイッチ素子のオンオフ状態を監視できる。即ち、各スイッチ素子に並列に接続された高インピーダンス素子の両端の電圧（分圧された電圧も含む）は、直列に接続された他のスイッチ素子がオンになると上昇するので、これを検知することによって、他のスイッチ素子のオンオフ状態を検知できる。従って、各スイッチ素子においては、並列に接続された高インピーダンス素子にかかる電圧を測定し、この電圧が、予め設定された範囲の低電圧Ａから、予め設定された範囲で前記低電圧Ａより高い高電圧Ｂに移行することを検知して自動的にオンすると、全体のスイッチ素子がオンとなり、負荷が通電される。一方、負荷をオフにする場合は、何れかのスイッチ素子をオフにすることになる。
【０００９】
第２の発明に係る複数箇所に設置されたスイッチの制御方法は、第１の発明に係る複数箇所に設置されたスイッチの制御方法において、前記各スイッチ素子のオンオフ制御を行うのに使用する電源は、前記各スイッチ素子の両端を通じて、前記負荷と同一の商用電源から供給されている。これによって、電池等の特別な電源を省略できるし、特別な電源配線も省略できる。
【００１０】
第３の発明に係る複数箇所に設置されたスイッチの制御方法は、第１、第２の発明に係る複数箇所に設置されたスイッチの制御方法において、前記各高インピーダンス素子は、負荷のインピーダンスの３０〜５００倍のインピーダンスを有する実質同一値の抵抗であって、前記スイッチ素子の数をｎ（但し、ｎは２又は３）、電源電圧をＤボルトとした場合、前記低電圧Ａの範囲は、Ｄ／ｎの０．８〜１．１５倍の範囲であって、前記高電圧Ｂの範囲は、Ｄ／（ｎ−１）の０．８５倍以上である。なお、高電圧Ｂの最高値は理論的には２1/2・Ｄとなる。これによって、回路に使用する素子にバラツキがあったり、また温度変化で多少インピーダンスが変動しても、回路が安定して動作する。この電圧Ｄはスイッチ素子の両端の電圧であって、高インピーダンス素子に抵抗等を用いて分圧する場合は、実際に制御される電圧は分圧比に比例して換算される。
【００１１】
また、第４の発明に係る複数箇所に設置されたスイッチ装置は、第１〜第３の発明に係る複数箇所に設置されたスイッチの制御方法に用いるスイッチ装置であって、
前記スイッチ素子である双方向サイリスタ（例えば、トライアック）と、該双方向サイリスタに整流回路を介して接続される前記高インピーダンス素子である高抵抗と、前記双方向サイリスタをオンオフする前記スイッチ手段と、前記高抵抗の両端に発生する電圧（分圧された電圧を含む）を検知して、該高抵抗の両端の電圧が、予め設定された範囲の前記低電圧Ａから、予め設定された範囲で前記低電圧Ａより高い前記高電圧Ｂに移行することを検知して自動的に前記双方向サイリスタをオンする制御部と、これらを収納する前記スイッチボックスとを有する。
ここで、制御部はアナグロ回路から構成するものであってもよいが、内部に所定の処理プログラムを収納したマイコンチップを用いるのが好ましい。
【発明の効果】
【００１２】
請求項１〜３記載の複数箇所に設置されたスイッチの制御方法及び請求項４記載の複数箇所に設置されたスイッチの制御方法に用いるスイッチ装置においては、直列に接続されたスイッチ素子にそれぞれ並列に高インピーダンス素子を接続し、該高インピーダンス素子に発生する電圧を測定して、高インピーダンス素子の両端の電圧が、予め設定された範囲の低電圧Ａから、予め設定された範囲で前記低電圧Ａより高い高電圧Ｂに移行することを検知して該当するスイッチ素子を自動的にオンするので、２線式配線で異なる場所に配線設置されたスイッチボックスに設けられた手動スイッチ又はセンサー動作スイッチによって、負荷のオンオフが可能となる。
【００１３】
特に、請求項２記載の複数箇所に設置されたスイッチの制御方法においては、各スイッチ素子のオンオフ制御を行うのに使用する電源は、各スイッチ素子の両端を通じて、負荷と同一の電源から供給されているので、電源用の特別な配線を必要としない。
また、請求項３記載の複数箇所に設置されたスイッチの制御方法においては、各高インピーダンス素子は、負荷のインピーダンスの３０〜５００倍のインピーダンスを有する実質同一値の抵抗であるので、負荷に影響を与えない。また、各高インピーダンス素子は同一抵抗値であるので、他のスイッチ素子がオフ時及びオン時の高インピーダンス素子に発生する電圧の予測が容易である。
また、スイッチ素子の数をｎ（但し、ｎは２又は３）、電源電圧をＤボルトとした場合、低電圧Ａの範囲は、Ｄ／ｎの０．８〜１．１５倍の範囲であって、高電圧Ｂの範囲は、Ｄ／（ｎ−１）の０．８５倍以上であるので、使用する素子のバラツキ、使用場所の温度変化があっても、装置全体の動作を安定させることができる。
【発明を実施するための最良の形態】
【００１４】
続いて、添付した図面を参照しつつ、本発明を具体化した実施の形態につき説明し、本発明の理解に供する。
ここで、図１は本発明の一実施の形態に係る複数箇所に設置されたスイッチの制御方法を適用したスイッチ装置の回路図、図２は同スイッチ装置の回路の一部詳細説明図、図３は２か所に設置されたスイッチ装置の概略説明図、図４は本発明の一実施の形態に係る複数箇所に設置されたスイッチの制御方法の動作説明図、図５は３か所に設置されたスイッチ装置の概略説明図である。
【００１５】
図１に示すように、本発明の一実施の形態に係る複数箇所に設置されたスイッチの制御方法には、少なくとも２か所に配置されたスイッチ装置１０、１０ａを用いる。スイッチ装置１０（１０ａも同じ）は、スイッチ素子の一例である双方向サイリスタ１１と、双方向サイリスタ１１の両端に整流回路（ブリッジ回路）１２を介して接続された高インピーダンス素子の一例である抵抗１３、１４と、押しボタンスイッチ（手動スイッチの一例）１５及びリモコンスイッチ（センサー動作スイッチの一例）１６を有するスイッチ手段１５ａと、双方向サイリスタ１１のトリガー制御を行うマイクロコンピュータを用いる制御部１７と、これに供給する電力を制御する電源制御部１８とを備え、これらがスイッチボックス１９、１９ａ内にそれぞれ収納されている。
スイッチボックス１９内（１９ａ内も同様）には接続端子２０、２１が設けられ、負荷（例えば、照明器具、ファン又はヒータ）２２が接続される給電回路に直列に双方向サイリスタ１１が接続されている。なお、２３は商用電源を示す。
【００１６】
双方向サイリスタ１１は、トライアックと称されるものを使用するのが好ましい。双方向サイリスタ１１の点弧（スイッチオン）はフォトカプラー２４の受光側、制限抵抗２５及びダイアック２６を介して行われ、フォトカプラー２４に制御部１７から所定の信号が与えられた場合、双方向サイリスタ１１がオンになるようになっている。ダイアック２６は所定以上の電圧がかかった場合に通電するトリガー素子で、双方向サイリスタ１１の点弧位相を０度を超え２５度以下（好ましくは５〜１５度）になるようにそのトリガー電圧が選定されている。コンデンサ２７は雑音による誤動作防止用である。
また、双方向サイリスタ１１に直列及び並列に、雑音防止用のリアクトル２８及びコンデンサ２９が接続されている。
【００１７】
電源制御部１８の詳細を図２に示すが、接続端子２０、２１に接続される整流回路１２からの直流出力を、図２に示すように定電圧ダイオード３０によって電圧制御されるトランジスタ３１を備えた定電圧回路によって一定電圧Ｖｃｃ（例えば、５Ｖ）にして、制御部１７を含む各回路に供給している。３２はダイオード、３３は制限用抵抗、３４は平滑用コンデンサを示す。なお、双方向サイリスタ１１がオフの場合は、接続端子２０、２１間には電圧がかかるので、電源制御部１８は支障なく作動するが、双方向サイリスタ１１が完全にオン（即ち、半周期１８０度通電）になると、接続端子２０、２１間には電圧は殆ど発生しなく（１Ｖ以下）なるので、本出願人が先に出願して公開された特開２００４−５６９０４号公報に記載の通り、双方向サイリスタ（半導体スイッチ素子）１１の通電位相を制御して、負荷２２に支障のない範囲で短い非通電期間（半サイクル毎に０度を超え２５度以下の範囲）を設けて双方向サイリスタ１１の両端に電圧を発生させて、これを整流回路１２で整流して電源としている。
【００１８】
整流回路１２の直流出力側には、平滑用のコンデンサ３５が設けられていると共に、高インピーダンス素子を形成する直列に接続された抵抗１３、１４が接続されている。そして、この抵抗１３、１４によって０〜３Ｖの範囲になるように分圧されて、制御部１７に出力されている。なお、整流回路１２に接続されている電源制御部１８及び抵抗１３、１４を含むインピーダンスは負荷２２のインピーダンスの３０〜５００倍程度の高インピーダンスとなっている。なお、負荷に支障のない範囲で抵抗１３、１４の値を変えて、整流回路１２の一次側からみたインピーダンスを変えることもできる。
双方向サイリスタ１１を直接オンオフするスイッチ手段１５ａはスイッチボックス１９から操作ボタンの頭部が露出する押しボタンスイッチ１５と、投光部３６及び受光部３７を備え、投光部３６から発した光信号を手等に反射させて受光部３７が受光した場合にオン信号を発生するリモコンスイッチ１６とを有している。なお、このリモコンスイッチ１６に受光部３７に向けて光信号を発生するリモコン送信機３８を設けることもできる。
【００１９】
制御部１７はアナログ入力を有するマイクロコンピュータ（ワンチップコンピュータ）からなって、内部にアナログ入力から入力された信号をデジタル信号に変換するＡＤ変換器、ＲＯＭ、ＲＡＭ、ＣＰＵ及びこれらと出力端子とのインターフェイス回路を有し、前記ＲＯＭに所定のプログラムが記載され、アナログ端子から入力される電圧の大きさによって、所定の信号を制御部１７からフォトカプラー２４の投光部に与えている。なお、４０はマイクロコンピュータを動作させるためのクロック発生部、４１はＣＰＵが双方向サイリスタ１１へのオン出力を出しているときに点灯し、このスイッチ装置１０のオン状態を示すスイッチ動作表示灯として作動する。
【００２０】
次に、制御部１７に記載されているプログラムを図４を参照しながら説明するが、理解を容易にするため、まず、図１を簡略化して主要部分を等価的に記載した図３に示す回路について説明する。
図３に示すように、全体のシステムは２台のスイッチ装置１０、１０ａを用い、商用電源２３に負荷２２が接続され、直列に２台のスイッチ装置１０、１０ａが接続されていることになるが、スイッチ装置１０、１０ａの主要部を簡略化するとそれぞれ双方向サイリスタ１１からなるスイッチ素子ＳＷ１、ＳＷ２が設けられ、このスイッチ素子ＳＷ１、ＳＷ２に高インピーダンス素子４２、４３がそれぞれ並列に接続されていることになる。
【００２１】
この高インピーダンス素子４２、４３は、双方向サイリスタ１１がオフの場合のそれぞれ接続端子２０、２１から見た回路と同一となり、実質的には、整流回路１２の一次側から見た回路となる。
ここで、高インピーダンス素子４２、４３の両端の電圧をＳＶ１、ＳＶ２とすると、スイッチ素子ＳＷ１、ＳＷ２のオンオフの状態によって、表１に示す通りに電圧が変化する。商用電源２３の電圧はＡＣ１００ボルトとする。
【００２２】
【表１】
0004772472.tif 000002
【００２３】
まず、スイッチ素子ＳＷ１、ＳＷ２が共にオフの場合（ケース１）には、高インピーダンス素子４２、４３の両端の電圧ＳＶ１、ＳＶ２は共に５０Ｖとなり、スイッチ素子ＳＷ１、ＳＷ２が共にオンの場合は共に０Ｖとなる。一方、スイッチ素子ＳＷ１、ＳＷ２の何れか一方がオンになると（ケース２、ケース３）、オンになった側の高インピーダンス素子４２、４３の電圧ＳＶ１、ＳＶ２は０Ｖに、他の側は１００Ｖになる。
【００２４】
従って、今、スイッチ装置１０のスイッチ素子ＳＷ１がオフになっている状態で、スイッチ装置１０ａのオフになっているスイッチ素子ＳＷ２を手動操作にてオンにすると、スイッチボックス１９内の高インピーダンス素子４２の両端電圧は５０Ｖから１００Ｖに変化する。この場合、この電圧変化をスイッチボックス１９内で検知して自動的にスイッチ素子ＳＷ１をオンにすると、負荷２２が通電されることになる（ケース４）。
なお、スイッチボックス１９のスイッチ素子ＳＷ１がオンになって、スイッチボックス１９ａのスイッチ素子ＳＷ２がオフになっている場合（この状態では負荷２２は通電していない）スイッチ素子ＳＷ２をオンにすると負荷２２が通電する。
【００２５】
図４は、各スイッチ装置１０、１０ａに設けられている制御部１７のプログラムの動作フロー図を示し、以下これについて説明する。
今、高インピーダンス素子４２の両端の電圧ＳＶ１の電圧を入力し、電圧ＳＶ１が約５０ボルト（即ち、４０Ｖ以上５７．５Ｖ以下）であるか否かを判断し（ステップＳ１）、イエス（ＹＥＳ）の場合は、小時間タイマー（例えば、０．２秒）をカウントした後（ステップＳ２）、メモリ（Ｍ１）に１（オン）を記憶する（ステップＳ３）。なお、初期状態ではメモリの記憶は０（オフ）とする。
【００２６】
（ステップＳ１）で、電圧ＳＶ１が所定の電圧Ａ（即ち、４０Ｖ以上５７．５Ｖ以下）以外である場合、（ステップＳ１）で所定の電圧Ａを検知したが（ステップＳ２）で所定時間継続しない場合、及び（ステップＳ３）でメモリ（Ｍ１）に１を記憶した場合には、再度電圧ＳＶ１を確認し、約０Ｖであるか否かを検知する。この約０Ｖの意味は、スイッチ素子ＳＷ１（双方向サイリスタ１１）の導通電圧を示すが、通常は２Ｖ以下に設定する。ここで、もし電圧ＳＶ１が約０Ｖである場合は、この時点で手動操作によってスイッチ素子ＳＷ１がオンとなった場合であるので、メモリ（Ｍ１）をリセットし、０（オフ）とする（ステップＳ５）。
【００２７】
（ステップＳ４）で、電圧ＳＶ１が約０Ｖでない場合には、電圧ＳＶ１が約１００Ｖ（即ち、８５Ｖ以上の所定電圧Ｂ）であるかを確認する（ステップＳ６）。ここで、電圧ＳＶ１が約１００Ｖであるということは、スイッチ素子ＳＷ２が導通状態であることを意味する。（ステップＳ６）で電圧ＳＶ１が所定の電圧Ｂである場合には、メモリ（Ｍ１）の値が１（オン）であるか否かを確認し（ステップＳ７）、１（オン）の場合には、出力メモリを１（オン）にし、フォトカプラー２４の投光部に信号を発して、スイッチ素子ＳＷ１（即ち、双方向サイリスター１１）をオンにする。これによって、スイッチ素子ＳＷ１、ＳＷ２がオンになり、負荷２２は通電する（ステップＳ８）。
【００２８】
（ステップＳ６）、（ステップＳ７）でノー（ＮＯ）の場合、（ステップＳ８）で出力メモリがオン（１）の場合、更に、手動スイッチ又はセンサー動作スイッチからの立ち上がり信号を確認する（ステップＳ９）。（ステップＳ９）で立ち上がり信号があった場合、出力メモリの状態を確認し（ステップＳ１０）、出力メモリが１（オン）の場合は、出力メモリを１（オフ）にする。これによって、スイッチ素子ＳＷ１はオフとなって負荷２２は非導通状態となる（ステップＳ１１）。（ステップＳ１０）で出力メモリが０（オフ）である場合は、スイッチ素子ＳＷ１はオフ状態であり、（ステップＳ９）でスイッチ手段からオンにするという強制命令があったことになるので、出力メモリを１（オン）にし、スイッチ素子ＳＷ１をオンにする（ステップＳ１２）。
【００２９】
以上は、スイッチ装置１０の動作説明であるが、スイッチ装置１０ａにも同一の回路が組み込まれているので、同一の動作を行う。
前記実施の形態は、スイッチ装置１０、１０ａが２個の場合であったが、３個の場合は、図５に示すように、更にスイッチ装置１０ｂが追加することになる。この場合の各高インピーダンス素子４２、４３、４４の両端の電圧ＳＶ１〜ＳＶ３は、電源電圧を１００Ｖとした場合、理想的には以下の表２の通りになる。
【００３０】
【表２】
0004772472.tif 000003
【００３１】
ケース５は、全てのスイッチ素子ＳＷ１〜ＳＷ３がオフの場合で、高インピーダンス素子４２〜４４の両端の電圧ＳＶ１〜ＳＶ３は約３３Ｖになる。そして、例えば、スイッチ素子ＳＷ１がオンになると、他のスイッチ素子ＳＷ２、ＳＷ３に並列に接続されている高インピーダンス素子４３、４４の両端の電圧は５０Ｖになる（ケース６）ので、スイッチ素子ＳＷ１がオンされたことを検知できる。この状態を検知して、スイッチ素子ＳＷ２、ＳＷ３を自動的にオンにすると全部のスイッチ素子ＳＷ１〜ＳＷ３がオンになって、負荷２２に通電する。これはケース７、８でも同じである。
【００３２】
次に、ケース９（ケース１０、１１も同じ）は、例えば、通電状態のスイッチ素子ＳＷ１〜ＳＷ３の何れか１つをオフにした場合に生じる。この場合、スイッチ素子ＳＷ１をオンとする場合は、負荷２２は通電状態になる。スイッチ素子ＳＷ２（又はＳＷ３）を１回操作してオンの状態からオフにしても負荷２２は通電状態にならないが、ケース８（又はケース７）の状態になる。そこで、再度スイッチ素子ＳＷ２をオンにすると、スイッチ素子ＳＷ１は高インピーダンス素子４２の電圧変化を検知して自動的にオンになり、結局全部のスイッチ素子ＳＷ１〜ＳＷ３がオンになって、負荷２２が通電する。なお、ケース１０、１１の場合も同様である。
【００３３】
この場合、スイッチ素子の数をｎ（但し、ｎは２又は３）、電源電圧をＤボルトとした場合、前記低電圧Ａの範囲は、Ｄ／ｎの０．８〜１．１５倍の範囲であって、前記高電圧Ｂの範囲は、Ｄ／（ｎ−１）の０．８５以上であるとすると、高インピーダンス素子等のバラツキを吸収できる。
【図面の簡単な説明】
【００３４】
【図１】本発明の一実施の形態に係る複数箇所に設置されたスイッチの制御方法を適用したスイッチ装置の回路図である。
【図２】同スイッチ装置の回路の一部詳細説明図である。
【図３】２か所に設置されたスイッチ装置の概略説明図である。
【図４】本発明の一実施の形態に係る複数箇所に設置されたスイッチの制御方法の動作説明図である。
【図５】３か所に設置されたスイッチ装置の概略説明図である。
【図６】従来例に係る２箇所に設置されたスイッチの制御方法の説明図である。
【符号の説明】
【００３５】
１０、１０ａ、１０ｂ：スイッチ装置、１１：双方向サイリスタ、１２：整流回路、１３、１４：抵抗、１５：押しボタンスイッチ、１５ａ：スイッチ手段、１６：リモコンスイッチ、１７：マイクロコンピュータ制御部、１８：電源制御部、１９、１９ａ：スイッチボックス、２０、２１：接続端子、２２：負荷、２３：商用電源、２４：フォトカプラー、２５：制限抵抗、２６：ダイアック、２７：コンデンサ、２８：リアクトル、２９：コンデンサ、３０：定電圧ダイオード、３１：トランジスタ、３２：ダイオード、３３：制限用抵抗、３４：平滑用コンデンサ、３５：コンデンサ、３６：投光部、３７：受光部、３８：リモコン送信機、４０：クロック発生部、４１：スイッチ動作表示灯、４２、４３、４４：高インピーダンス素子
【図１】
0004772472.tif 000004
【図２】
0004772472.tif 000005
【図３】
0004772472.tif 000006
【図４】
0004772472.tif 000007
【図５】
0004772472.tif 000008
【図６】
0004772472.tif 000009